【事件の表示】
　特許第５３０９３４４号に関する訂正審判事件について、次のとおり審決する。
【結　論】
　特許第５３０９３４４号に係る明細書及び特許請求の範囲を本件審判請求書に添付された訂正明細書及び訂正特許請求の範囲のとおり一群の請求項ごとに訂正することを認める。
【理　由】
１　手続の経緯 
　本件訂正審判の請求に係る特許第５３０９３４４号（以下「本件特許」という。）は、平成２３年９月２日の特許出願であって、その請求項１〜５に係る発明は、平成２５年７月１２日に特許権の設定登録がなされ、平成２５年８月２３日に本件訂正審判の請求がなされた。 
　
２　審判請求の趣旨及び訂正の内容
　本件審判請求は、本件特許の明細書及び特許請求の範囲を、本件審判請求書に添付された訂正明細書及び訂正特許請求の範囲のとおり一群の請求項ごとに訂正することを求めるものである。（下線部は訂正箇所を意味する。） 　
　その訂正内容は、次のとおりである。
　
（１）訂正事項１
　本件特許請求の範囲の請求項１における
「前記第２予告報知手段は、
　前記第２の変動表示ゲームに基づいて発生する前記所定条件の成立を伴わない特別遊技状態を対象とせずに、前記所定条件の成立を伴う第１の特別遊技状態を対象として前記予告報知を実行するよう構成され、」
という記載を、
「前記第２予告報知手段は、
　前記第２の変動表示ゲームに基づいて発生する前記所定条件の成立を伴わない
第１の
と訂正する。
　
（２）訂正事項２
　本件特許請求の範囲の請求項２における
「前記第１予告報知手段は、前記予告報知の実行中に前記特別結果となる前記第２の変動表示ゲームが実行された場合には、当該第２の変動表示ゲームで前記予告報知を実行してから当該予告報知の実行を停止することを特徴とする請求項１に記載の遊技機。」
という記載を、
「
複数の識別情報による変動表示ゲームを表示する変動表示装置と、前記変動表示ゲームの実行権利としての始動記憶を当該変動表示ゲームの結果を決定する結果関連情報とともに記憶する始動記憶手段と、を備え、前記変動表示ゲームの結果が特別結果となった場合に遊技者にとって有利な特別遊技状態を発生するとともに、該特別遊技状態の発生に関わる所定条件の成立に基づき特別遊技状態の終了後、次回の特別遊技状態の発生を通常遊技状態よりも容易にした特定遊技状態を発生するようにした遊技機において、
　
前記変動表示装置は、第１の変動表示ゲームを表示する第１変動表示装置と、第２の変動表示ゲームを表示する第２変動表示装置と、を含んで構成され、
　
前記特別遊技状態には、所定期間実行される第１の特別遊技状態と、該第１の特別遊技状態よりも実行期間が短く設定された第２の特別遊技状態とが含まれ、
　
前記第１変動表示装置における第１の変動表示ゲームよりも前記第２変動表示装置における第２の変動表示ゲームを優先して実行する優先制御手段と、
　
前記始動記憶手段に始動記憶が記憶された変動表示ゲームの実行待機状態中に、当該始動記憶に対応した結果関連情報を先読みする先読み手段と、
　
前記特定遊技状態の発生中においては前記第２の変動表示ゲームの実行権利の発生を容易にする実行権利発生容易化手段と、
　
前記先読み手段による先読み結果に基づき、該当する変動表示ゲームの実行以前に予告報知を実行することが可能な予告報知手段と、を備え、
　
前記予告報知手段は、
　
前記通常遊技状態の発生中に前記第１の変動表示ゲームに基づいて発生する特別遊技状態に対する予告報知を実行する第１予告報知手段と、
　
前記特定遊技状態の発生中に前記第２の変動表示ゲームに基づいて発生する特別遊技状態に対する予告報知を実行する第２予告報知手段と、
　
前記特定遊技状態の発生中に前記第１の変動表示ゲームに基づいて発生する特別遊技状態に対する予告報知が実行されることを禁止する予告禁止手段と、を備え、
　
前記第１予告報知手段は、
　
前記第１の変動表示ゲームに基づいて発生する全ての特別遊技状態を対象として前記予告報知を実行するよう構成され、
　
前記第２予告報知手段は、
　
前記第２の変動表示ゲームに基づいて発生する前記所定条件の成立を伴わない特別遊技状態を対象とせずに、前記所定条件の成立を伴う第１の特別遊技状態を対象として前記予告報知を実行するよう構成され、
　前記第１予告報知手段は、前記予告報知の実行中に前記特別結果となる前記第２の変動表示ゲームが実行された場合には、当該第２の変動表示ゲームで前記予告報知を実行してから当該予告報知の実行を停止することを特徴とす
る遊
と訂正する。
　
（３）訂正事項３
　明細書の段落【０００８】における
「前記第２予告報知手段は、
　前記第２の変動表示ゲームに基づいて発生する前記所定条件の成立を伴わない特別遊技状態を対象とせずに、前記所定条件の成立を伴う第１の特別遊技状態を対象として前記予告報知を実行するよう構成され」
という記載を、
「前記第２予告報知手段は、
　前記第２の変動表示ゲームに基づいて発生する前記所定条件の成立を伴わない
第１の
と訂正する。
　
（４）訂正事項４
　明細書の段落【００１１】における
「請求項２に記載の発明は、請求項１に記載の遊技機であって、前記第１予告報知手段は、前記予告報知の実行中に前記特別結果となる前記第２の変動表示ゲームが実行された場合には、当該第２の変動表示ゲームで前記予告報知を実行してから当該予告報知の実行を停止することを特徴とする。」
という記載を、
「請求項２に記載の発明は、
複数の識別情報による変動表示ゲームを表示する変動表示装置と、前記変動表示ゲームの実行権利としての始動記憶を当該変動表示ゲームの結果を決定する結果関連情報とともに記憶する始動記憶手段と、を備え、前記変動表示ゲームの結果が特別結果となった場合に遊技者にとって有利な特別遊技状態を発生するとともに、該特別遊技状態の発生に関わる所定条件の成立に基づき特別遊技状態の終了後、次回の特別遊技状態の発生を通常遊技状態よりも容易にした特定遊技状態を発生するようにした遊技機において、
　
前記変動表示装置は、第１の変動表示ゲームを表示する第１変動表示装置と、第２の変動表示ゲームを表示する第２変動表示装置と、を含んで構成され、
　
前記特別遊技状態には、所定期間実行される第１の特別遊技状態と、該第１の特別遊技状態よりも実行期間が短く設定された第２の特別遊技状態とが含まれ、
　
前記第１変動表示装置における第１の変動表示ゲームよりも前記第２変動表示装置における第２の変動表示ゲームを優先して実行する優先制御手段と、
　
前記始動記憶手段に始動記憶が記憶された変動表示ゲームの実行待機状態中に、当該始動記憶に対応した結果関連情報を先読みする先読み手段と、
　
前記特定遊技状態の発生中においては前記第２の変動表示ゲームの実行権利の発生を容易にする実行権利発生容易化手段と、
　
前記先読み手段による先読み結果に基づき、該当する変動表示ゲームの実行以前に予告報知を実行することが可能な予告報知手段と、を備え、
　
前記予告報知手段は、
　
前記通常遊技状態の発生中に前記第１の変動表示ゲームに基づいて発生する特別遊技状態に対する予告報知を実行する第１予告報知手段と、
　
前記特定遊技状態の発生中に前記第２の変動表示ゲームに基づいて発生する特別遊技状態に対する予告報知を実行する第２予告報知手段と、
　
前記特定遊技状態の発生中に前記第１の変動表示ゲームに基づいて発生する特別遊技状態に対する予告報知が実行されることを禁止する予告禁止手段と、を備え、
　
前記第１予告報知手段は、
　
前記第１の変動表示ゲームに基づいて発生する全ての特別遊技状態を対象として前記予告報知を実行するよう構成され、
　
前記第２予告報知手段は、
　
前記第２の変動表示ゲームに基づいて発生する前記所定条件の成立を伴わない特別遊技状態を対象とせずに、前記所定条件の成立を伴う第１の特別遊技状態を対象として前記予告報知を実行するよう構成され、
　前記第１予告報知手段は、前記予告報知の実行中に前記特別結果となる前記第２の変動表示ゲームが実行された場合には、当該第２の変動表示ゲームで前記予告報知を実行してから当該予告報知の実行を停止することを特徴とする。」
と訂正する。
　
（５）訂正事項５
　明細書の段落【００１７】における
「本発明によれば、特定遊技状態の発生中の予告報知が所定条件の成立を伴わない特別遊技状態を対象としていないので、特定遊技状態の発生により変化する遊技者の興味の対象に応じて効率よく遊技者の期待感を高めることが可能となる。」
という記載を、
「本発明によれば、特定遊技状態の発生中の予告報知が所定条件の成立を伴わない
第１の
と訂正する。
　
２．当審の判断
（１）訂正の目的の適否について
（１−１）訂正事項１について
　訂正事項１は、請求項１における「前記所定条件の成立を伴わない特別遊技状態」という記載を、請求項１の「該特別遊技状態の発生に関わる所定条件の成立に基づき特別遊技状態の終了後、次回の特別遊技状態の発生を通常遊技状態よりも容易にした特定遊技状態を発生するようにした遊技機において、」という記載、請求項１の「前記特別遊技状態には、所定期間実行される第１の特別遊技状態と、該第１の特別遊技状態よりも実行期間が短く設定された第２の特別遊技状態とが含まれ、」という記載、段落【００６０】の「そして、所定条件の成立を伴う特別結果態様であった場合は特別遊技状態の終了後に再び確変状態となる。また、所定条件の成立を伴わない特別結果態様（通常図柄）であった場合は、特別遊技状態の終了後もそのまま通常確率状態とされる。」という記載、段落【００７８】の「なお、１５Ｒ通常、１５Ｒ確変に基づく特別遊技状態（第１の特別遊技状態）では、各ラウンドにおける大入賞口の開放時間が第１開放時間（２５秒）であり、２Ｒ確変に基づく特別遊技状態（第２の特別遊技状態）では、大入賞口の開放時間が第１開放時間よりも短い第２開放時間（０．３秒）とされる。」という記載に基づき、「前記所定条件の成立を伴わない
第１の
　
（１−２）訂正事項２について
　訂正事項２は、請求項２が請求項１の記載を引用する記載であったものを、請求項間の引用関係を解消し、請求項１を引用しないものとし、独立形式請求項へ改めるための訂正であるから、特許法第１２６条第１項ただし書第４号に掲げる、他の請求項の記載を引用する請求項の記載を当該他の請求項の記載を引用しないものとすることを目的とする訂正に該当する。
　
（１−３）訂正事項３、５について
　訂正事項３、５は、上記１．（１）の「訂正事項１」の訂正により、特許請求の範囲の請求項１における特許請求の範囲の減縮の訂正を行った結果、記載表現が一致しなくなった明細書の記載を、訂正後の特許請求の範囲の記載に整合させるための訂正であるから、特許法第１２６条第１項ただし書第３号に掲げる、明瞭でない記載の釈明を目的とする訂正に該当する。
　
（１−４）訂正事項４について
　訂正事項４は、上記１．（２）の「訂正事項２」の訂正により、特許請求の範囲の請求項２における、他の請求項の記載を引用する請求項の記載を当該他の請求項の記載を引用しないものとすることを目的とする訂正を行った結果、記載表現が一致しなくなった明細書の記載を、訂正後の特許請求の範囲の記載に整合させるための訂正であるから、特許法第１２６条第１項ただし書第３号に掲げる、明瞭でない記載の釈明を目的とする訂正に該当する。
　
（２）新規事項の追加の有無、特許請求の範囲の実質上の拡張・変更の有無について
　訂正事項１〜５は、願書に添付した明細書、特許請求の範囲又は図面に記載した事項の範囲内のものであり、実質上特許請求の範囲を拡張し又は変更するものではないから、特許法第１２６条第５〜６項の規定に適合する。
　
（３）一群の請求項ごとに請求されているかについて
　訂正後の請求項５は、訂正事項１を含む訂正後の請求項１、訂正事項２を含む訂正後の請求項２〜４を引用し、訂正後の請求項１〜４の全ての訂正事項を含み、訂正後の請求項５を中心として「一群の請求項」を構成するから、訂正後の請求項１〜５は、特許法施行規則第４６条の２第３号に規定する関係を有する一群の請求項である。
　したがって、本件訂正審判の請求は、一群の請求項（請求項１〜５）についてなされており、特許法第１２６条第３項の規定に適合する。
　
（４）訂正後の請求項１及び５に係る発明の独立特許要件について
　訂正事項１は、特許請求の範囲の減縮を目的とするものであり、訂正事項１を含む訂正後の請求項は、請求項１と請求項１を引用する請求項５であるから、訂正後の請求項１及び５に係る発明が特許出願の際独立して独立して特許を受けることができるか検討することにするが、訂正後の請求項１及び５に係る発明が特許出願の際独立して特許を受けることができない理由を発見することはできない。
　したがって、訂正事項１は、特許法第１２６条第７項の規定に適合する。
　
（５）小括り
　以上検討したように、訂正事項１は、特許法第１２６条第１項ただし書第１号に掲げる事項を目的とし、かつ、同条第３項及び第５〜７項の規定に適合し、
　訂正事項２は、特許法第１２６条第１項ただし書第４号に掲げる事項を目的とし、かつ、同条第３項及び第５〜６項の規定に適合し、
　訂正事項３は、特許法第１２６条第１項ただし書第３号に掲げる事項を目的とし、かつ、同条第３項及び第５〜６項の規定に適合し、
　訂正事項４は、特許法第１２６条第１項ただし書第３号に掲げる事項を目的とし、かつ、同条第３項及び第５〜６項の規定に適合する。
　
３．むすび 
　したがって、本件審判の請求は、特許法第１２６条第１項ただし書第１号及び第３〜４号に掲げる事項を目的とし、かつ、同条第３項及び第５〜７項の規定に適合する。
　
　よって、結論のとおり審決する。